(57)【要約】【課題】  タッチパネルを有する情報端末装置に表示された入力キーに対するタッチ入力を支援することができるカバーを提供する。【解決手段】  情報端末装置に装着するカバーを、情報端末装置を保護するカバー本体部と、情報端末に表示された入力キーに対応した孔部又は凹部を備えた入力支援部とで構成する。入力支援部の孔部または凹部を通じて情報端末装置へのタッチ入力を可能とすることで、情報端末装置が有するタッチパネルへのタッチ入力を支援する。【選択図】      図２
0003166363.tif 000002
【実用新案登録請求の範囲】
【請求項１】
少なくとも１つの面にタッチパネルを有し、前記タッチパネル上の所定の領域に、所定の形状を有するとともに入力キーの機能内容を示す複数の入力キーを表示し、前記表示された入力キーに対するタッチ入力を受け付け、タッチ入力された入力キーに対応する機能を実行する情報端末装置に装着するカバーであって、
前記カバーは、前記情報端末装置を収納するとともに、少なくとも前記情報端末装置のタッチパネルを有する面に位置する入力支援部を備え、
前記入力支援部は、前記表示された複数の入力キーのそれぞれに対応する位置に、孔部を有することを特徴とするカバー。
【請求項２】
少なくとも１つの面にタッチパネルを有し、前記タッチパネル上の所定の領域に、所定の形状を有するとともに入力キーの機能内容を示す複数の入力キーを表示し、前記表示された入力キーに対するタッチ入力を受け付け、タッチ入力された入力キーに対応する機能を実行する情報端末装置に装着するカバーであって、
前記カバーは、前記情報端末装置を収納するとともに、少なくとも前記情報端末装置のタッチパネルを有する面に位置する入力支援部を備え、
前記入力支援部は、前記表示された複数の入力キーのそれぞれに対応する位置に、凹部を有し、
少なくとも前記凹部の底面は、透明又は半透明をしているとともに、前記凹部の底面を介して前記タッチパネルに表示された入力キーに対する入力が可能に構成されていることを特徴とするカバー。
【請求項３】
請求項１または２において、
前記孔部または前記凹部は、前記表示された入力キーと略同じ形状及び／又は略同じ大きさで構成されていることを特徴とするカバー。
【請求項４】
請求項１〜３の何れか一項において、
前記入力支援部は前記タッチパネルと接する面に１または複数の凸部を有し、
前記凸部を前記タッチパネルと接触させることで、前記タッチパネルに表示する入力キーの大きさ、形状、配置、機能内容の少なくとも１つを設定することを特徴とするカバー。
【請求項５】
請求項１〜４の何れか一項において、
前記カバーは、
さらに、前記タッチパネルを有する面と対向する面に、情報端末装置を平面に載置した場合に、前記情報端末装置を所定角度で傾斜させるためのスタンドを有することを特徴とするカバー。
【請求項６】
請求項１〜５の何れか一項において、
前記カバーは、情報端末装置を収納する本体部を含み、
前記入力支援部は、前記本体部と前記情報端末装置とで挟まれて固定されるとともに、
前記タッチパネルに表示される入力キーの大きさ、形状、配置の少なくともいずれか１つに応じて複数種類の入力支援部を交換可能とすることを特徴とするカバー。
【請求項７】
請求項６において、
前記本体部は、
前記情報端末装置を保護する緩衝部材を備える下側部と、
前記入力支援部の前記凹部または孔部をふさがないように構成された蓋部と、
がヒンジ部材により開閉可能に構成されており、
前記情報端末装置と前記入力支援部とを前記下側部と蓋部との間に挟んで固定することを特徴とするカバー。
【請求項８】
請求項７において、
前記蓋部は、前記入力支援部を固定するための固定枠を有していることを特徴とするカバー。
【請求項９】
請求項７または８において、
前記情報端末装置を前記下側部と前記蓋部との間に挟んで固定した状態で、前記情報端末装置の側面を覆う弾性変形部材を、
さらに設けたことを特徴とするカバー。
【請求項１０】
請求項１〜９の何れか一項において、
ベルトの両端を固定可能なベルト固定部を有することを特徴とするカバー。
【請求項１１】
請求項１〜１０の何れか一項において、
前記情報端末装置のカメラ、マイク、スピーカ、前記情報端末装置に情報記憶媒体を差し込むための差し込み口、前記情報端末装置にケーブルを差し込むための差し込み口の少なくとも何れか１つに対応する位置に孔部を有することを特徴とするカバー。
【請求項１２】
請求項１〜１１のいずれかにおいて、
前記カバーは、前記情報端末装置のタッチパネルを覆う面の少なくとも一部にレンチキュラレンズを有することを特徴とするカバー。
【考案の詳細な説明】
【技術分野】
【０００１】
この考案は情報端末装置のカバーに関し、特に、情報端末装置に表示した入力キーに対するタッチ入力を支援するカバーに関する。
【背景技術】
【０００２】
携帯機器のタッチパネルディスプレイを保護するカバーにおいて、カバーを透明にすることで携帯機器のタッチパネルディスプレイに表示された操作ボタンなどを視認可能としたものが知られている。（例えば、特許文献１）
【０００３】
また、互いに近接する入力キーの押圧操作によって意思伝達内容を表示手段に表示する意思伝達装置において、個々の入力キーが凹部の中に配設することで、手の振れがあるユーザの入力を支援するものが知られている。（例えば、特許文献２）
【先行技術文献】
【特許文献】
【０００４】
【特許文献１】特開２０１０−１０８４６４号公報
【特許文献２】実開昭６２−０４４３３２号公報
【０００５】
上記特許文献１は、カバーを透明にすることで、タッチパネルに表示された操作ボタンなどを視認可能にしてはいるものの、ユーザのタッチ入力を支援していないという問題があった。
【０００６】
また、上記特許文献２は、互いに近接する入力キーが凹部の中に配設されているため、指が震えるなどの症状を有するユーザの入力を支援しているものの、入力キーの大きさや配置などの変更に柔軟に対応できないという問題があった。
【考案の概要】
【考案が解決しようとする課題】
【０００７】
それゆえに、この考案の目的は、タッチパネルを有する情報端末装置に表示された入力キーに対するタッチ入力を支援することができるカバーを提供することである。
【課題を解決するための手段】
【０００８】
以上の課題を解決するための第1の形態は、少なくとも１つの面にタッチパネルを有し、タッチパネル上の所定の領域に、所定の形状を有するとともに入力キーの機能内容を示す複数の入力キーを表示し、表示された入力キーに対するタッチ入力を受け付け、タッチ入力された入力キーに対応する機能を実行する情報端末装置に装着するカバーであって、カバーは、情報端末装置を収納するとともに、少なくとも情報端末装置のタッチパネルを有する面に位置する入力支援部を備え、入力支援部は、表示された複数の入力キーのそれぞれに対応する位置に、孔部を有することを特徴とするカバーである。
【０００９】
この第1の形態によれば、情報端末装置にカバーを装着した状態であっても、入力支援部の孔部を介して、液晶ディスプレイ（タッチパネル）に表示された複数の入力キーに対するタッチ入力が可能となる。
【００１０】
第２の形態は、少なくとも１つの面にタッチパネルを有し、タッチパネル上の所定の領域に、所定の形状を有するとともに入力キーの機能内容を示す複数の入力キーを表示し、表示された入力キーに対するタッチ入力を受け付け、タッチ入力された入力キーに対応する機能を実行する情報端末装置に装着するカバーであって、カバーは、情報端末装置を収納するとともに、少なくとも情報端末装置のタッチパネルを有する面に位置する入力支援部を備え、入力支援部は、表示された複数の入力キーのそれぞれに対応する位置に、凹部を有し、少なくとも凹部の底面は、透明又は半透明をしているとともに、凹部の底面を介してタッチパネルに表示された入力キーに対する入力が可能に構成されていることを特徴とするカバーである。
【００１１】
この第２の形態によれば、情報端末装置にカバーを装着した状態であっても、入力支援部の凹部を介して、液晶ディスプレイ（タッチパネル）に表示された複数の入力キーに対するタッチ入力が可能となる。さらに、入力支援部は、少なくとも凹部の底面が透明又は半透明をしているため、凹部の底面を通して液晶ディスプレイ（タッチパネル）に表示された複数の入力キーを視認することが可能となり、それぞれの入力キーの機能内容を把握することが可能となる。
【００１２】
第３の形態は、第１又は第２の形態において、孔部または凹部は、表示された入力キーと略同じ形状及び／又は略同じ大きさで構成されていることを特徴とするカバーである。
【００１３】
この第３の形態によれば、入力支援部が有する孔部または凹部を通じて入力キーを容易に視認することが可能になる。
【００１４】
第４の形態は、第１から第３の形態のいずれか１つにおいて、入力支援部はタッチパネルと接する面に１または複数の凸部を有し、凸部をタッチパネルに接触させることで、タッチパネルに表示する入力キーの大きさ、形状、配置、機能内容の少なくとも１つを設定することを特徴とするカバーとしてもよい。
【００１５】
この第４の形態によれば、情報端末装置の液晶ディスプレイ（タッチパネル）と入力支援部（例えば、キーガード）の凸部が接触することで、液晶ディスプレイ（タッチパネル）に表示する入力キーの配置を設定することができる。そのため、ユーザは情報端末装置で入力キーの大きさや形状、配置、内容といった設定を行わなくても、情報端末装置に所望のカバーを装着することで、入力キーの大きさや形状、配置、内容といった設定を行うことができる。
【００１６】
第５の形態は、第１から第４の形態のいずれか１つにおいて、タッチパネルを有する面と対向する面に、情報端末装置を平面に載置した場合に、情報端末装置を所定角度で傾斜させるためのスタンドを有することを特徴とするカバーとしてもよい。
【００１７】
この第５の形態によれば、情報端末装置を平面に置いて使用する際に、情報端末装置を所定の角度で傾斜させることができるため、情報端末装置の液晶ディスプレイ（タッチパネル）の表示内容を容易に視認できるようになり、液晶ディスプレイ（タッチパネル）へのタッチ入力を容易に行えるようになる。
【００１８】
第６の形態は、第１から第３の形態のいずれか１つにおいて、カバーは、情報端末装置を収納する本体部を含み、入力支援部は、本体部と情報端末装置とで挟まれて固定されるとともに、タッチパネルに表示される入力キーの大きさ、形状、配置の少なくともいずれか１つに応じて複数種類の入力支援部を交換可能とすることを特徴とするカバーとしてもよい。
【００１９】
この第６の形態によれば、カバーと入力支援部（例えば、キーガード）を別々の構成としているため、情報端末装置の液晶ディスプレイ（タッチパネル）に表示される入力キーに応じて入力支援部（例えば、キーガード）を交換すればよいことになる。
【００２０】
第７の形態は、第６の形態において、さらに、本体部は、情報端末装置を保護する緩衝部材を備える下側部と、入力支援部の前記凹部または孔部をふさがないように構成された蓋部とがヒンジ部材により開閉可能に構成されており、情報端末装置と入力支援部とを下側部と蓋部との間に挟んで固定することを特徴とするカバーとしてもよい。
【００２１】
この第７の形態によれば、情報端末装置と入力支援部（例えば、キーガード）とを、ヒンジ部材により開閉可能に構成された下側部と蓋部とにより挟んで固定されるため、入力支援部（例えば、キーガード）を情報端末装置の液晶ディスプレイ（タッチパネル）に対して固定することができる。
【００２２】
第８の形態は、第７の形態において、蓋部は、入力支援部を固定するための固定枠を有していることを特徴とするカバーとしてもよい。
【００２３】
この第８の形態によれば、蓋部には、入力支援部（例えば、キーガード）を情報端末装置の液晶ディスプレイ（タッチパネル）に対して固定することができる。そのため、入力支援部（例えば、キーガード）を、情報端末装置の液晶ディスプレイ（タッチパネル）に表示される入力キーに対してずれないように固定することができる。
【００２４】
第９の形態は、第７又は第８の形態において、情報端末装置を下側部と蓋部との間に挟んで固定した状態で、情報端末装置の側面を覆う弾性変形部材を、さらに設けたことを特徴とするカバーとしてもよい。
【００２５】
この第９の形態によれば、情報端末装置を下側部と蓋部とで挟んで固定し、さらに、情報端末装置の側面を弾性変形部材（例えば、ラバーバンド）で覆うようにしたので、情報端末装置の側面も保護することが可能になる。
【００２６】
第１０の形態は、ベルトの両端を固定可能なベルト固定部を有することを特徴とするカバーとしてもよい。
【００２７】
この第１０の形態によれば、ユーザは、例えば、ショルダーベルトを肩から掛けた状態で情報端末装置を使用することができるようになる。
【００２８】
第１１の形態は、第１から第１０の形態のいずれか１つにおいて、情報端末装置のスイッチ、マイク、スピーカ、情報端末装置に情報記憶媒体を差し込むための差し込み口、情報端末装置にケーブルを差し込むための差し込み口の少なくとも何れか１つに対応する位置に孔部を有することを特徴とするカバーとしてもよい。
【００２９】
この第１１の形態によれば、カバーには、情報端末装置に設けられたスイッチ、マイク、スピーカや、情報端末装置に情報記憶媒体を差し込むための差し込み口、情報端末装置にケーブルを差し込むための差し込み口に対応する位置に孔部を有しており、情報端末装置の機能を妨害しないカバーを実現できる。
【００３０】
第１２の形態は、第１から第１１の形態のいずれか１つにおいて、カバーは、情報端末装置のタッチパネルを覆う面の少なくとも一部にレンチキュラレンズを有することを特徴とするカバーとしてもよい。
【００３１】
この第１２の形態によれば、情報端末装置に表示される表示内容を立体的に視認させることが可能になる。
【考案の効果】
【００３２】
本考案によれば、タッチパネルを有する情報端末装置に表示された入力キーに対するタッチ入力を支援することができるカバーを提供することができる。
【図面の簡単な説明】
【００３３】
【図１】情報端末装置の外観例
【図２】本考案に係るカバーを装着した情報端末装置を正面から見た例
【図３】本考案に係るカバーを装着した情報端末装置を横側から見た例
【図４】本考案に係るカバーを装着した情報端末装置を背面から見た例
【図５】本考案に係る本体部の詳細な構成の一例
【図６】ラバーバンドの一例
【図７】実施例に係るキーガードの一例
【図８】キーガードを情報端末装置に装着した例
【図９】他の実施例に係るキーガードの一例
【図１０】他の実施例に係るキーガードを情報端末装置に装着した例
【考案を実施するための形態】
【００３４】
以下、図面を参照して、本考案の実施形態を説明する。
【実施例】
【００３５】
この考案のカバーは、一例として、タッチパネルディスプレイを備える情報端末装置に適用することができ、情報端末装置を、例えば、意思伝達装置として使用することを可能とする。
【００３６】
意思伝達装置とは、例えば、会話や筆談が困難なユーザの発生を代行することによりユーザの会話を援助するものである。そのため、意思伝達装置は、複数の互いに近接するキーに対するタッチ入力によって、意思伝達内容を入力させ、入力された意思伝達内容を表示手段に表示するとともに、意思伝達内容を音声スピーカから出力するようになっている。
【００３７】
図１は、情報端末装置の一例である。情報端末装置１は、液晶ディスプレイ２、スピーカ、マイク、オン／オフスイッチ３、音量調整スイッチ４、ホームボタン５などを備える。液晶ディスプレイ２の表面には、その表示面全体に亘って、指などによるタッチ位置を検出するタッチパネルが装着されている。スピーカは、音量調整スイッチ４により調整された音量で音声を出力することができる。マイクは、音量調整スイッチ４により調整された音量で音声を入力することができる。オン／オフスイッチ３は、電源のオン／オフを切り替えるほか、情報端末装置１をスリープ状態にしたり、スリープ状態を解除したりすることができる。音量調整スイッチ４は、スピーカから出力される音声の音量やマイクから入力される音声の音量を調整することができる。ホームボタン５は、アプリケーションを終了させたり、液晶ディスプレイ２にホーム画面を表示させたりすることができる。
【００３８】
また、情報端末装置１は、情報端末装置を充電するためのコネクタやヘッドフォンやスピーカ、マイクなどのケーブルを差し込むための差し込み口６を有している。  また、情報端末装置の筐体内には、制御装置と、着脱自在なメモリカード７に対してデータのか読み出し／書き込みが可能なメモリカード読み取り装置とを内蔵している。
【００３９】
制御装置は、ＣＰＵやＧＰＵ、ＤＳＰなどの各種マイクロプロセッサ、ＡＳＩＣ、ＶＲＡＭやＲＡＭ、ＲＯＭなどの各種ＩＣメモリを搭載する。また、制御装置には、通信回線に接続して無線通信を実現する無線通信装置や、液晶ディスプレイのドライバ回路、スピーカへ音声信号を出力するためのアンプ回路、メモリカード読み取り装置への信号入出力回路といったインターフェイス回路を搭載する。制御装置に搭載されている各装置は、それぞれバス回路を介して電気的に接続され、データの読み書きや信号の送受信が可能に接続されている。
【００４０】
以下、本考案におけるカバーを情報端末装置に装着し、意思伝達装置として用いる形態について説明する。なお、本考案におけるカバーは、タッチパネルディスプレイを備える情報端末装置に装着することで、タッチパネルディスプレイへの入力を支援するものであればよく、実施形態により何ら限定されない。
【００４１】
図２〜図４は、本考案に係るカバーを情報端末装置に装着した意思伝達装置の一例である。図２は、液晶ディスプレイを有する側から意思伝達装置を見た例であり、図３は、液晶ディスプレイに向って右側から意思伝達装置を見た例であり、図４は、液晶ディスプレイを有する面と対向する面から意思伝達装置を見た例である。
【００４２】
本考案に係るカバー１０は、本体部１１とキーガード１２により構成される。本体部１１は、情報端末装置に加えられた衝撃など保護するものである。キーガード１２は、情報端末装置が有するタッチパネルへのタッチ入力を支援するものであり、液晶ディスプレイに表示されたキーに対応する位置に穴や凹部が設けられている。
【００４３】
スタンド１３は、ユーザが液晶ディスプレイの表示を視認したり、タッチパネルへのタッチ入力などの操作をしたりするのに適する所定の角度で意思伝達装置を傾斜させるためのものである。ベルト固定部１４は、ユーザが意思伝達装置を例えば肩から提げて用いる際の肩掛けベルト８を固定するためのものである。本実施例においては、スタンドにベルト固定部が設けられている。
【００４４】
図５は、本体部１１の詳細な構成を示している。本体部１１は、蓋部１６と下側部１７とから構成され、蓋部１６と下側部１７とで情報端末装置を挟むように固定している。
【００４５】
下側部１７は、主に情報端末装置の下側、すなわち液晶ディスプレイ（タッチパネル）を有する面と対向する側を保護している。下側部１７は、例えば、弾性変形部材を射出成型や直圧成型、注入成型することにより形成される。弾性変形部材とは例えば、シリコンゴムやブチルゴム、天然ゴム、エラストマ、合成樹脂などである。このように下側部１７を弾性変形部材で成型することにより、下側部に衝撃が加わったときに衝撃を吸収、緩和することができる。さらに、情報端末装置の下側と接する面に弾性変形突起１８を構成することで、下側部１７に空間を形成し、緩衝部として機能するようになっている。
【００４６】
また、下側部１７は、スタンド１３を有しており、意思伝達装置を平面に設置した際に、平面に対して意思伝達装置の液晶ディスプレイを所定の角度（例えば、５度〜１５度程度）傾斜させている。このようにすることで、液晶ディスプレイに表示されるキーの視認性を高め、タッチパネルへのタッチ入力などの操作性を高めている。
【００４７】
なお、意思伝達装置が傾斜した状態で設置されればよいため、スタンドが下側部と一体的に形成されていてもよいし、スタンドが下側部とは別体として形成されていてもよい。
【００４８】
また、下側部は、意思伝達装置を平面に設定した際に平面と接触する箇所に、滑り止め部１５を有しており、そのため、ユーザが意思伝達装置を平面に設置して使用する際に、意思伝達装置が平面状を滑り移動することを防止している。
【００４９】
スタンド１３の両端には、ベルトの両端をそれぞれ別個に固定するためのベルト固定部１４が設けられている。肩掛けベルト８は、その両端にベルトをベルト固定部に掛けるためのバックルを有している。ベルト固定部１４は、ベルト両端のバックルを掛ける構成になっており、ユーザは、ベルトの両端のバックルをベルト固定部１４に掛けることで、情報端末装置を例えば肩から掛けて使用することができる。
【００５０】
蓋部１６は、主に情報端末装置の上側、すなわち液晶ディスプレイ（タッチパネル）を有する面の側を保護している。蓋部１６は、例えば、弾性変形部材を射出成型や直圧成型、注入成型することにより形成される。弾性変形部材とは例えば、シリコンゴムやブチルゴム、天然ゴム、エラストマ、合成樹脂などである。このように蓋部１６を弾性変形部材で成型することにより、カバーに衝撃が加わったときに衝撃を吸収、緩和することができる。さらに、情報端末装置の上側と接する面に弾性変形突起を構成することで、蓋部と情報端末装置の上側との間に空間を形成し、緩衝部として機能させてもよい。
【００５１】
また、蓋部１６は、情報端末装置の液晶ディスプレイ（タッチパネル）へのタッチ入力を可能としている。そのため、蓋部１６は、情報端末装置の液晶ディスプレイ（タッチパネル）に対応する位置に開口部１９を有している。
【００５２】
また、蓋部１６はキーガード１２を情報端末装置の液晶ディスプレイ（タッチパネル）に対して固定している。そのため、蓋部の内側には、キーガードと略同一サイズで形成されたキーガード固定枠２０があり、このキーガード固定枠２０にキーガードをはめ込み、情報端末装置と蓋部１６とでキーガードを挟むことで、キーガードが情報端末装置の液晶ディスプレイ（タッチパネル）からずれないようにしている。
【００５３】
蓋部１６と下側部１７とは、ヒンジ機構２１により接続されており、開閉自在な構成になっている。また、下側部１７に対して蓋部１６を閉じた状態で、下側部１７と蓋部１６とをクリップなどの部材で留めて固定するようにしている。
【００５４】
ラバーバンド２２は、ゴムなどの弾性変形素材で形成されており、下側部と蓋部とを横側から固定している。弾性変形部材とは例えば、シリコンゴムやブチルゴム、天然ゴム、エラストマ、合成樹脂などである。クリップで留めて固定された蓋部１６と下側部１７とを、横側からラバーバンド２２でさらに固定している。このようにすることで、より確実に情報端末装置を固定することができる。また、情報端末装置に対する横側からの衝撃を吸収、緩和することができる。さらに、ラバーバンドの内側に弾性変形突起を構成することで、ラバーバンドの内側に空間を形成し、緩衝部として機能させるようにしてもよい。
【００５５】
図７は、キーガードの一例を示す図であり、図８は、情報端末装置に図７のキーガードを装着した例を示す図である。
【００５６】
キーガード２３は、プラスチックやアクリルなどで成型された板状体に複数の孔部２３を穿設したものである。
【００５７】
キーガード１２は、蓋部１６の内側に設けられたキーガード固定枠２０にはめ込まれ、情報端末装置の液晶ディスプレイ（タッチパネル）に対して固定される。ユーザはキーガードをキーワード固定枠２０にはめ込んだ状態で下側部と蓋部とで挟み、さらにクリップやラバーバンドで固定する。
【００５８】
キーガードに穿設された孔部２４を通して、情報端末装置に表示された入力キーに対するタッチ入力が可能とされている。すなわち、タッチパネル上で入力キーが表示されていない領域は、キーガードにより覆われるため、入力キーが表示されていない領域を適切に保護でき、所望の入力キーに対して適切な入力を行うことができる。また、キーガードは所定の厚みを有しており、仮にユーザに手の震えなどがあったとしても、入力すべき入力キーに対するタッチ入力を支援することが可能となる。
【００５９】
表示ウィンドウ２６は、入力キーにより入力された文字などを表示する領域に対応して設けられた開口である。
【００６０】
キーガードは、液晶ディスプレイ（タッチパネル）に表示するキーボードなどの種類に応じて複数種類用意されていてもよい。図９は、他のキーガードの一例を示す図であり、図１０は、情報端末装置に図９のキーガードを装着した例を示す図である。
【００６１】
キーガード１２３は、キーガード２３と同様に、蓋部１６の内側に設けられたキーガード固定枠２０にはめ込まれ、情報端末装置の液晶ディスプレイ（タッチパネル）に対して固定される。ユーザはキーガードをキーワード固定枠２０にはめ込んだ状態で下側部と蓋部とで挟み、さらにクリップやラバーバンドで固定する。
【００６２】
キーガード１２３に穿設された孔部１２４を通して、情報端末装置に表示された入力キーに対するタッチ入力が可能とされている。すなわち、タッチパネル上で入力キーが表示されていない領域は、キーガードにより覆われるため、入力キーが表示されていない領域を適切に保護でき、所望の入力キーに対して適切な入力を行うことができる。また、キーガードは所定の厚みを有しており、仮にユーザに手の震えなどがあったとしても、入力すべき入力キーに対するタッチ入力を支援することが可能となる。
【００６３】
表示ウィンドウ１２６は、入力キーにより入力された文字などを表示する領域に対応して設けられた開口である。
【００６４】
液晶ディスプレイ（タッチパネル）に表示されるキーには、図８に示したように、ひらがなやカタカナ等の仮名文字や英数字を入力するためのキーボードや、図１０に示したように、文字を大きく表示したキーボードや、表示された絵の中からユーザが所望の絵を選択するためのキーボードなどがある。
【００６５】
キーガードは、タッチパネルと接触する側に凸部２５、１２５を有しており、キーガードをタッチパネルに接触させた際に、この凸部２５、１２５がタッチパネルに触れることで、キーガードの種類を判別し、キーガードの種類に応じたキーボードなどを液晶ディスプレイ（タッチパネル）に表示するように構成してもよい。
【００６６】
なお、キーガードに構成される孔部２４、１２４は、必ずしも貫通している必要はなく、タッチパネルへの入力を阻害するものでなければよいため、凹部が構成されていてもよい。
【００６７】
また、表示ウィンドウ２６、１２６は、液晶ディスプレイに表示された文字などを認識できるように透明や半透明になっていればよく、必ずしも開口している必要は無い。
【００６８】
情報端末装置は、情報端末装置を充電するためのコネクタの差し込み口やヘッドフォンのケーブルを差し込むための差し込み口６や、情報端末装置にメモリカードなどの情報記憶媒体７を差し込むための差し込み口を有しており、カバーには、これらの差し込み口に該当する位置にケーブルや情報記憶媒体などを差し込むための貫通した孔部が設けられている。これにより、カバーを装着した状態であっても、情報端末装置に対して充電するためのケーブルやヘッドフォンなどを情報端末装置の差し込み口に対して差し込むことが可能である。また、カバーには、これらの孔部を埋めるためのキャップが取り付けられていてもよい。
【００６９】
また、情報端末装置は、マイクや音声スピーカを有しており、カバーには、情報端末装置のマイクや音声スピーカに該当する位置に、凹部又は、一部又は全体が貫通した孔部が設けられている。これにより、マイクへの音声入力が可能となり、スピーカから出力される音声の音量が低下することも防止できる。
【００７０】
［変形例］
キーガードの表面にシート状のレンチキュラレンズを貼り付け、情報端末装置の液晶ディスプレイ（タッチパネル）に表示される画像を立体的に見せるようにしてもよい。
【００７１】
キーガードの情報端末装置に表示される入力キーに対応する位置に孔部が設けられている場合には、キーガードにおいて、孔部以外の部分にシート状のレンチキュラレンズを貼り付けてもよい。その場合は、情報端末装置に表示される入力キー以外の表示が立体的に視認されることになり、ユーザにとっては、入力キーとそれ以外の部分とで、あたかも凹凸があるかのように視認されるため、入力キーの位置の判別が容易になる。
【００７２】
キーガードの情報端末装置に表示される入力キーに対応する位置に凹部が設けられている場合には、キーガードにおいて、凹部にシート状のレンチキュラレンズを貼り付けても良い。その場合は、情報端末装置に表示される入力キー以外の表示が立体的に視認されることになり、ユーザにとっては、入力キーとそれ以外の部分とで、あたかも凹凸があるかのように視認されるため、入力キーの位置の判別が容易になる。なお、キーガードの情報端末装置に表示される入力キーに対応する位置に凹部が設けられている場合には、キーガード全体にレンチキュラレンズを貼り付け、情報端末装置に表示される表示の全体が立体的に視認されるようにしてもよい。
【００７３】
本実施形態においては、カバーの本体部をヒンジ機構により接続されている場合について説明したが、カバー全体を弾性変形部材で一体的に成型したものであってもよい。そのような場合には、カバーには、情報端末装置を挿入するための切れ込みとキーガードを固定するためのキーガード固定枠があればよい。
【００７４】
また、本実施形態においては、複数のキーガードから適切なキーガードを選択して、カバーに取り付けて用いる構成としたが、キーガードが一体的に成型された複数のカバーから、情報端末装置に表示された入力キーに適したカバーを選択して情報端末装置に装着するようにしてもよい。
【００７５】
また、キーガードが一体的に成型された複数のカバーにおいて、タッチパネルと接触する位置に凸部を有しており、カバーをタッチパネルに装着させた際に、この凸部がタッチパネルに触れることで情報端末装置に装着されたカバーの種類を判別し、カバーの種類に応じたキーボードなどを液晶ディスプレイ（タッチパネル）に表示するように構成してもよい。
【００７６】
また、本体部を情報端末装置に装着した状態のまま、キーガードを交換可能にしてもよい。その場合は、可撓性を有するキーガードを湾曲させて、キーガード固定枠にはめ込むようにしてもよい。
【産業上の利用可能性】
【００７７】
本考案は、情報端末装置に装着するカバーとして利用可能である。
【符号の説明】
【００７８】
１  情報端末装置
２  液晶ディスプレイ（タッチパネル）
３  オン／オフスイッチ
４  音量調整スイッチ
５  ホームボタン
６  差し込み口
７  メモリカード
８  肩掛けベルト
１０  カバー
１１  本体部
１２  キーガード
１３  スタンド
１４  ベルト固定部
１５  滑り止め部
１６  蓋部
１７  下側部
１８  弾性変形突起
１９  開口部
２０  キーガード固定枠
２１  ヒンジ機構
２２  ラバーバンド
２３  キーガード
２４  孔部
２５  凸部
２６  表示ウィンドウ
１２３  キーガード
１２４  孔部
１２５  凸部
１２６  表示ウィンドウ
【図１】
0003166363.tif 000003
【図２】
0003166363.tif 000004
【図３】
0003166363.tif 000005
【図４】
0003166363.tif 000006
【図５】
0003166363.tif 000007
【図６】
0003166363.tif 000008
【図７】
0003166363.tif 000009
【図８】
0003166363.tif 000010
【図９】
0003166363.tif 000011
【図１０】
0003166363.tif 000012